(57)【要約】【課題】マルチパックに取り付けたときの見栄えが良く、容易にマルチパックに取り付けることができる告知板を提供する。【解決手段】告知板１０は、シート状の告知板本体１１を有する。告知板本体１１は、挿入部１３と、表示部１５と、表示部１５を支持する支持部１７を有する。そして、挿入部１３は、マルチパック１の飲料用缶２が露出される露出側面Ｓ５における飲料用缶２間に挿入される。また、表示部１５は、支持部１７を介して挿入部１３と接続される。【選択図】  図１
2017134096.tif 000002
【特許請求の範囲】
【請求項１】
挿入部と、表示部と、前記表示部を支持する支持部と、を備えるシート状の告知板本体を有し、
前記挿入部は、マルチパックの容器が露出される露出側面における容器間に挿入され、
前記表示部は、前記支持部を介して前記挿入部と接続されることを特徴とする告知板。
【請求項２】
前記表示部の輪郭の少なくとも一部は、前記告知板本体から切り取られて形成され、
前記支持部は、対向する２つの縁線を有し、
前記支持部の前記対向する２つの縁線のうち少なくとも一方の縁線は山折りされて形成され、
前記支持部の山折りされる前記縁線は、前記告知板本体から切り取られて形成された前記表示部の輪郭と接続し、
前記支持部は、山折りされる少なくとも一方の前記縁線側で前記挿入部と接続されることを特徴とする請求項１に記載の告知板。
【請求項３】
前記表示部の輪郭の一部は、前記告知板本体の外形線とされ、
前記支持部の前記対向する２つの縁線のうち他方の縁線は、前記告知板本体の外形線とされるとともに前記告知板本体の外形線とされる前記表示部の輪郭と接続されることを特徴とする請求項２に記載の告知板。
【請求項４】
前記告知板本体は２つの前記挿入部を備え、
前記支持部の前記２つの縁線のうち他方の縁線も山折りされて形成され、
前記支持部は、前記他方の縁線側でも前記挿入部の１つと接続されることを特徴とする請求項２に記載の告知板。
【請求項５】
前記支持部は、前記表示部の上側及び下側にそれぞれ形成されることを特徴とする請求項１乃至請求項４の何れか記載の告知板。
【請求項６】
前記告知板本体は、前記挿入部の上端から切り欠かれる上側切欠部を備えることを特徴とする請求項１乃至請求項５の何れか記載の告知板。
【請求項７】
前記告知板本体は、前記挿入部の下端から切り欠かれる下側切欠部を備えることを特徴とする請求項１乃至請求項６の何れか記載の告知板。
【発明の詳細な説明】
【技術分野】
【０００１】
本発明は、ＰＯＰ等を表示する表示部を備えてマルチパックに取り付けることができる告知板である。
【背景技術】
【０００２】
従来から、飲料用等の容器である瓶や缶を複数本まとめて包装されたマルチパックが小売店等の店頭に陳列され販売されている。例えば、ビール等の飲料用缶を紙製の包装紙により６本まとめて包装した６本マルチパックが多く用いられている。この６本マルチパックは、飲料用缶等の容器が２本ずつ３列に並べられて包装される。この場合、マルチパックの短手方向の側面は飲料用缶が露出される。従って、飲料用缶の商品名等は、マルチパックの上面や長手方向の側面に印刷等されている。
【０００３】
ここで、比較的広い売り場面積の販売店であれば、このマルチパックの長手方向の側面が見えるようにしてマルチパックを陳列することができる。しかしながら、比較的小さい売り場面積の販売店では、売り場スペースを有効に活用するため、マルチパックの短手方向の側面が見えるようにして陳列される場合がある。このような場合には、長手方向の側面の印刷等が見難くなり、消費者による商品の選択が不便な場合もある。従って、マルチパックの短手方向の側面に告知板を取り付けることが種々提案されている。
【０００４】
例えば、特許文献１に開示される告知板であるＰＯＰ表示材は、マルチパックの短手方向の側面に挿入して、マルチパックに取り付けることができる。このＰＯＰ表示材のマルチパックへの取付けは、１つ又は２つの挿入部を、包装材と飲料用缶との間に挿入して行われる。このようにしてＰＯＰ表示材をマルチパックに取り付けることにより、マルチパックの短手方向の側面が見えるように陳列された場合においても、マルチパックの容器の内容を告知したりＰＯＰを表示したりすることができる。
【先行技術文献】
【特許文献】
【０００５】
【特許文献１】特開２００１−２７０５５８号公報
【発明の概要】
【発明が解決しようとする課題】
【０００６】
ここで、特許文献１のＰＯＰ表示材のマルチパックへの取り付けに際して、マルチパックの短手方向の側面に対する取付位置は、ＰＯＰ表示材の取付けを行う作業者が適宜定めて取り付ける必要がある。例えば、左右に挿入部を備えるＰＯＰ表示材では、左右の挿入部を均等に挿入するのは難しい。また、横方向に平行な挿入部を備えるＰＯＰ表示材では、マルチパックの短手方向は位置決めされていない。従って、ＰＯＰ表示材の取り付けの作業が煩雑になったり、作業者が変わると表示部の位置がマルチパック毎に異なったりすることがある。すると、マルチパックを上下方向に積み上げて陳列した場合に表示部が左右方向（すなわち短手方向）にマルチパック毎にずれることがあり、見栄えが悪くなることがある。
【０００７】
本発明の目的は、見栄え良く容易にマルチパックに取り付けることができる告知板を提供する。
【課題を解決するための手段】
【０００８】
本発明の告知板は、挿入部と、表示部と、前記表示部を支持する支持部と、を備えるシート状の告知板本体を有し、前記挿入部は、マルチパックの容器が露出される露出側面における容器間に挿入され、前記表示部は、前記支持部を介して前記挿入部と接続される。
【発明の効果】
【０００９】
本発明によれば、露出側面における容器間に挿入部が挿入されるので、表示部がマルチパックの短手方向に位置決めされた状態で告知板をマルチパックに取り付けることができる。従って、本発明に係る告知板は、見栄え良く容易にマルチパックに取り付けることができる。
【図面の簡単な説明】
【００１０】
【図１】本発明の第１実施形態に係る告知板とマルチパックを示す斜視図である。
【図２】本発明の第１実施形態に係る告知板を示す図であり、（ａ）は平面図であり、（ｂ）は組み立て後の斜視図である。
【図３】本発明の第２実施形態に係る告知板を示す図であり、（ａ）は平面図であり、（ｂ）は組み立て後の斜視図である。
【図４】本発明の第３実施形態に係る告知板を示す図であり、（ａ）は平面図であり、（ｂ）は組み立て後の斜視図である。
【図５】本発明の第４実施形態に係る告知板を示す図であり、（ａ）は平面図であり、（ｂ）は組み立て後の斜視図である。
【発明を実施するための形態】
【００１１】
（第１実施形態）
次に、本発明の第１実施形態を図１及び図２（ａ），（ｂ）に基づいて説明する。図１には、飲料用の容器である飲料用缶２（例えば３５０ｍｌ入り又は５００ｍｌ入りのビール飲料）が６本包装されたマルチパック１が示されている。マルチパック１には、２本並ぶ飲料用缶２を３列一組として、包装材５により合計６本の飲料用缶２が包装されている。従って、マルチパック１は、平面視略長矩形の直方体状とされている。包装材５は紙材料からなり、展開すると一枚の略長矩形状となる。２行３列に並べられた６本の飲料用缶２は、上面及び下面と、長手方向（すなわち行方向）の側面が包装材５により包装される。従って、マルチパック１の上面Ｓ１及び下面Ｓ２と、長手方向側の側面Ｓ３，Ｓ４には、包装材５の表面が配置される。マルチパック１の上面Ｓ１及び側面Ｓ３，Ｓ４に配置される包装材５の表面には、飲料用缶２の内容物の表示や図柄、キャッチフレーズ等の文字が記載される。
【００１２】
包装材５には、上面Ｓ１に位置する面に２か所の孔部５ａが形成される。孔部５ａは、マルチパック１を持ち上げて持ち運ぶ際に指が挿入される。また、展開時における包装材５の両端は、飲料用缶２の包装時に複数の接続部５ｂにより接続される。複数の接続部５ｂは、下面Ｓ２に配置される。接続部５ｂの位置は、下面Ｓ２における短手方向（すなわち列方向）の略中央とされる。この接続部５ｂは、例えば、包装材５の両端に舌片状に係止片を形成する。そして、一方側の係止片を折り込んで、他方側の係止片を一方側の係止片を折り込んだ孔部に係止させることで、接着剤を用いずに包装材５を接続させることができる。
【００１３】
マルチパック１の短手方向の側面Ｓ５，Ｓ６は、それぞれ２本の飲料用缶２が露出する露出側面とされている。側面Ｓ５，Ｓ６の角部には、それぞれ保持部５ｃが形成されている。保持部５ｃは、マルチパック１の角部を傾斜面状に形成して、露出側面の飲料用缶２の側面Ｓ３，Ｓ４側の上部及び側面Ｓ３，Ｓ４側の下部を保持している。
【００１４】
マルチパック１の短手方向の側面Ｓ５には、告知板１０が取付けられている。本実施形態に係る告知板１０は、挿入部１３と、表示部１５と、表示部１５を支持する支持部１７（上支持部１７ａ、下支持部１７ｂ）を備える告知板本体１１を有する。表示部１５には、飲料用缶２のＰＯＰや、期間や地域を限定したキャンペーン等の告知内容が記載される。告知板１０は、挿入部１３が、マルチパック１の短手方向の側面Ｓ５における２本の飲料用缶２間に挿入されて、マルチパック１に固定される。
【００１５】
図２（ａ），（ｂ）には、本実施形態に係る告知板１０が示される。告知板１０は、１枚のシート状とされる紙材料から形成される告知板本体１１からなる。告知板本体１１は、略矩形状に形成されている。告知板本体１１には、図２（ａ）における左側に挿入部１３が形成され、右側に表示部１５が形成されている。表示部１５は、横方向に長軸が向けられた略楕円形とされている。表示部１５における挿入部１３側の輪郭Ｐ１（すなわち、Ａ１点からＡ２点までの連続した曲線部分）は、打ち抜き加工等により告知板本体１１から切り取られて形成されている。一方、表示部１５における挿入部１３と反対側の輪郭Ｐ２（すなわち、Ｂ１点からＢ２点までの連続した曲線部分）は、告知板本体１１の外形線の一部とされている。
【００１６】
また、表示部１５の略中央の上側及び下側には、縦長矩形状の支持部１７が接続されている。表示部１５の上側には、上支持部１７ａが接続され、表示部１５の下側には下支持部１７ｂが接続されている。ここで、図２（ｂ）に示すように、上支持部１７ａの縁線は、対向する２つの縁線であるＣ１点からＡ１点の直線及びＤ１点からＢ１点の直線と、告知板本体１１の外形線であるＣ１点からＤ１点の直線と、で構成される。同様に、下支持部１７ｂの縁線は、対向する２つの縁線であるＡ２点からＣ２点の直線及びＢ２点からＤ２点の直線と、告知板本体１１の外形線の一部であるＣ２点からＤ２点の直線と、で構成される。そして、支持部１７（上支持部１７ａ、下支持部１７ｂ）における対向する２つの縁線のうち一方の縁線であるＣ１点からＡ１点の直線及びＡ２点からＣ２点の直線は、表示部１５の輪郭Ｐ１と接続されるとともに山折りされる。
【００１７】
つまり、図２（ａ）における上支持部１７ａの左側の縁線（すなわち、Ｃ１点からＡ１点まで二点鎖線で示す直線）は、Ａ１点で表示部１５の輪郭Ｐ１と接続される。同様に、下支持部１７ｂの左側の縁線（すなわち、Ａ２点からＣ２点まで二点鎖線で示す直線）は、Ａ２点で表示部１５の輪郭Ｐ１と接続される。そして、支持部１７（上支持部１７ａ、下支持部１７ｂ）の左側の縁線（すなわち、二点鎖線で示すＣ１点からＡ１点までの直線及びＡ２点からＣ２点までの直線）は、図２（ｂ）に示すように直角に山折りされる。
【００１８】
さらに、支持部１７（上支持部１７ａ、下支持部１７ｂ）の対向する２つの縁線のうち他方の縁線であるＤ１点からＢ１点の直線及びＢ２点からＤ２点の直線は、告知板本体１１における外形線の一部である。そして、支持部１７（上支持部１７ａ、下支持部１７ｂ）の２つの縁線のうち他方の縁線であるＤ１点からＢ１点の直線及びＢ２点からＤ２点の直線は、表示部１５の輪郭Ｐ２と接続されている。つまり、図２（ａ）に示すように、上支持部１７ａの右側の縁線（すなわち、Ｄ１点からＢ１点の直線）は、表示部１５の輪郭Ｐ２とＢ１点で接続される。同様に、下支持部１７ｂの右側の縁線（すなわち、Ｂ２点からＤ２点の直線）は、表示部１５の輪郭Ｐ２とＢ２点で接続される。
【００１９】
また、支持部１７（上支持部１７ａ、下支持部１７ｂ）は、山折りされる一方の縁線（すなわち、二点鎖線で示すＣ１点からＡ１点までの直線及びＡ２点からＣ２点までの直線）側で、挿入部１３と接続されている。
【００２０】
このように形成される告知板１０は、図２（ｂ）に示すように、告知板本体１１における表示部１５と反対側の外形線Ｌ１から山折りされた縁線（すなわち、Ｃ１点からＡ１点までの直線及びＡ２点からＣ２点までの直線）までの範囲でマルチパック１の飲料用缶２間に挿入可能とされる。従って、告知板１０をマルチパック１に取り付けると、表示部１５の背面を飲料用缶２と適度な押圧力で当接させることができるので、表示部１５が不安定にフラついてしまうことが低減される。
【００２１】
また、上支持部１７ａ及び下支持部１７ｂを備える支持部１７により、表示部１５が支持されるので、表示部１５の上側及び下側のフラつきが防止される。そして、支持部１７（上支持部１７ａ，下支持部１７ｂ）の表面は、表示部１５の表面と連続した平坦面となるよう形成されている。従って、支持部１７にも表示部１５と同様に広告やＰＯＰ等の表示を行うことができる。
【００２２】
そして、告知板１０は、マルチパック１の露出側面（すなわち、マルチパック１の短手方向の側面）における飲料用缶２間に挿入部１３を挿入して取り付けられる。従って、表示部１５の横方向は、マルチパック１の露出側面の中心に位置決めされる。すると、マルチパック１の露出側面を見えるようにして上下方向に積み上げて陳列した場合でも、表示部１５の横方向の位置が揃えられるので、見栄え良くマルチパック１を陳列することができる。
【００２３】
さらに、告知板本体１１の挿入部１３における上側の外形線Ｌ２から下側の外形線Ｌ３までの距離（すなわち、挿入部１３の高さ）は、飲料用缶２の高さと略同じとすることもできる。この場合には、マルチパック１の上面Ｓ１及び下面Ｓ２の包装材５により挿入部１３がガイドされるので、告知板１０のマルチパック１への取り付けは、左右方向だけでなく上下方向も位置決めされる。従って、さらに見栄え良くマルチパック１を陳列することができる。また、挿入部１３の上側の外形線Ｌ２をマルチパック１の上面Ｓ１の内面と当接させて挿入部１３を挿入する、又は、挿入部１３の下側の外形線Ｌ３をマルチパック１の下面Ｓ２の内面と当接させて挿入部１３を挿入すれば、上下方向の位置決めも容易に行うことができる。
【００２４】
告知板１０のマルチパック１への取り付けは、以下のように行うと容易である。先ず、挿入部１３を飲料用缶２の間に軽く差込む。そして、露出側面の２つの飲料用缶２を、飲料用缶２の上下方向を回転軸として、挿入部１３が挿入される向きにそれぞれ回転させると、極めて容易に告知板１０をマルチパック１に取り付けることができる。
【００２５】
さらに、告知板１０の告知板本体１１には、挿入部１３の上端から切り欠かれる上側切欠部１８が形成されている。上側切欠部１８は、告知板本体１１（換言すれば、挿入部１３）の上側の外形線Ｌ２と挿入部１３側の外形線Ｌ１とが交差する角部が切り欠かれて形成されている。これにより、マルチパック１に告知板１０が取付けられた場合に、マルチパック１の孔部５ａに指を入れても、挿入部１３と挿入した指が干渉してしまうことが低減される。
【００２６】
またさらに、告知板本体１１には、告知板本体１１（換言すれば、挿入部１３）の下側の外形線Ｌ３における下支持部１７ｂの下端に下側切欠部１９が形成されている。この下側切欠部１９により、マルチパック１における接続部５ｂで折り返された包装材５の部位と告知板本体１１が干渉してしまうことが低減される。
【００２７】
（第２実施形態）
次に、図３（ａ），（ｂ）に基づいて、本発明に係る告知板の第２実施形態を説明する。告知板２０は、１枚のシート状とされる紙材料から形成される告知板本体２１からなる。告知板本体２１は、略矩形状に形成されている。告知板本体２１には、図３（ａ）における左側に挿入部２３が形成され、右側に表示部２５が形成されている。表示部２５は、横方向に長軸が向けられた略楕円形とされている。表示部２５における告知板本体２１側の輪郭Ｐ３（すなわち、Ａ３点からＡ４点の連続した曲線部分）は、告知板本体２１から打ち抜き加工等により切り取られて形成されている。一方、表示部２５における挿入部２３と反対側の輪郭Ｐ４（すなわち、Ａ３点からＢ３点の連続した曲線部分）は、告知板本体２１の外形線の一部とされている。
【００２８】
また、表示部２５の略中央の下側には、縦長矩形状の支持部２７が表示部２５に接続されている。ここで、図３（ｂ）に示すように、支持部２７の縁線は、対向する２つの縁線であるＡ４点からＣ３点の直線及びＢ３点からＤ３点の直線と、告知板本体２１の外形線の一部であるＣ３点からＤ３点の直線と、で構成されている。そして、支持部２７の対向する２つの縁線のうち一方の縁線であるＡ４点からＣ３点の直線は、表示部２５の輪郭Ｐ３と接続されるとともに山折りされる。つまり、図３（ａ）で示すように、支持部２７の左側の縁線（すなわち、Ａ４点からＣ３点まで二点鎖線で示す直線）は、Ａ４点で表示部２５の輪郭Ｐ３と接続される。そして、図３（ｂ）に示すように、支持部２７の左側の縁線（すなわち、二点鎖線で示すＡ４点からＣ３点までの直線）は直角に山折りされる。
【００２９】
さらに、支持部２７の対向する２つの縁線のうち他方の縁線であるＢ３点からＤ３点の直線は、告知板本体２１の外形線の一部である。そして、支持部２７の対向する２つの縁線のうち他方の縁線であるＢ３点からＤ３点の直線は、表示部２５の輪郭Ｐ４と接続される。つまり、支持部２７の右側の縁線（すなわち、Ｄ３点からＢ３点までの直線）は、表示部２５の輪郭Ｐ４とＢ３点で接続される。なお、表示部２５の表面と支持部２７の表面は連続した平坦面とされている。
【００３０】
また、支持部２７は、山折りされる一方の縁線（すなわち、二点鎖線で示すＡ４点からＣ３点までの直線）側で、挿入部２３と接続されている。
【００３１】
さらに、告知板本体２１には、告知板本体２１（換言すれば、挿入部２３）の下側の外形線における支持部２７の下端に、マルチパック１における接続部５ｂとの干渉を回避するための下側切欠部２９が形成されている。
【００３２】
この告知板２０も、挿入部２３を、図１で示すマルチパック１の短手方向における飲料用缶２が露出される露出側面における飲料用缶２間に挿入することにより、マルチパック１に容易に取り付けることができる。そして、第１実施形態と同様に、告知板２０が取付けられたマルチパック１は、見栄え良く陳列することができる。
【００３３】
また、本実施形態における告知板２０によれば、表示部２５における告知板本体２１から切り取っている部分（すなわち、輪郭Ｐ３）が短くて済むので、告知板２０の製造を容易とすることができる。
【００３４】
（第３実施形態）
次に、図４（ａ），（ｂ）に基づいて、本発明の第３実施形態を説明する。告知板３０は、１枚のシート状とされる紙材料から形成される告知板本体３１からなる。告知板本体３１は、略矩形状に形成されている。告知板本体３１には、図４（ａ）における左右それぞれに挿入部３３ａ，３３ｂが設けられている。そして、挿入部３３ａ，３３ｂ間には、表示部３５が形成されている。
【００３５】
表示部３５は、横方向に長軸が向けられた略楕円形とされている。表示部３５における告知板本体３１側左の輪郭Ｐ５（すなわち、Ａ５点からＡ６点の連続した曲線部分）及び右の輪郭Ｐ６（すなわち、Ａ７点からＡ８点の連続した曲線部分）は、告知板本体３１から打ち抜き加工等により切り取られて形成されている。一方、表示部３５における告知板本体３１と反対側の輪郭Ｐ７（すなわち、Ａ５点からＡ７点までの連続した曲線部分）は、告知板本体３１の外形線の一部である。
【００３６】
また、表示部３５の略中央の下側には、縦長矩形状の支持部３７が表示部３５に接続されている。ここで、図４（ｂ）に示すように、支持部３７の縁線は、対向する２つの縁線であるＡ６点からＣ４点の直線及びＡ８点からＣ５点の直線と、告知板本体３１の外形線の一部であるＣ４点からＣ５点の直線と、で構成される。そして、支持部３７の対向する２つの縁線における一方の縁線（Ａ６点からＣ４点の直線）と他方の縁線（Ａ８点からＣ５点の直線）は、表示部３５の輪郭Ｐ５，Ｐ６とそれぞれ接続されるとともに山折りされる。
【００３７】
つまり、図４（ａ）に示すように、支持部３７の左側の縁線（すなわち、Ａ６点からＣ４点まで二点鎖線で示す直線）は、Ａ６点で表示部３５の輪郭Ｐ５と接続される。また、支持部３７の右側の縁線（すなわち、Ａ８点からＣ５点まで二点鎖線で示す直線）は、Ａ８点で表示部３５の輪郭Ｐ６と接続される。そして、支持部３７は、一方の縁線（Ａ６点からＣ４点の直線）及び他方の縁線（Ａ８点からＣ５点の直線）とされる２つの山折りされる縁線側で、それぞれ挿入部３３ａ，３３ｂと接続される。なお、表示部３５の表面と支持部３７の表面は連続した平坦面とされている。
【００３８】
さらに、告知板本体３１には、告知板本体３１（換言すれば、挿入部３３ａ，３３ｂ）の下側の外形線における支持部３７の下端に、マルチパック１における接続部５ｂとの干渉を回避するための下側切欠部３９が形成されている。
【００３９】
この告知板３０は、２箇所の挿入部３３ａ，３３ｂをマルチパック１の短手方向における飲料用缶２が露出される露出側面における飲料用缶２間に挿入することにより、図１に示すマルチパック１に取り付けることができる。そして、第１実施形態と同様に、告知板３０が取付けられたマルチパック１は、見栄え良く陳列することができる。
【００４０】
また、本実施形態における告知板３０は、２つの挿入部３３ａ，３３ｂを合わせて飲料用缶２間に挿入するので、下側のみ支持部３７により支持される表示部３５であっても、強固に表示部３５を支持することができる。
【００４１】
（第４実施形態）
次に、図５（ａ），（ｂ）に基づいて、本発明の第４実施形態を説明する。告知板４０は、１枚のシート状とされる紙材料から形成される告知板本体４１からなる。告知板本体４１は、略矩形状に形成されている。告知板本体４１には、図５（ａ）における左右それぞれに挿入部４３ａ，４３ｂが設けられている。そして、挿入部４３ａ，４３ｂ間には、表示部４５が形成されている。
【００４２】
表示部４５は、横方向に長軸が向けられた略楕円形とされている。表示部４５の左の輪郭Ｐ７（すなわち、Ａ９点からＡ１０点の連続した曲線部分）及び右の輪郭Ｐ８（すなわち、Ａ１１点からＡ１２点の連続した曲線部分）は、それぞれ告知板本体４１から打ち抜き加工等により切り取られて形成されている。
【００４３】
また、表示部４５の略中央の上側及び下側には、細長い縦長矩形状の支持部４７（上支持部４７ａ、下支持部４７ｂ）が表示部４５に接続されている。ここで、図５（ｂ）に示すように、上支持部４７ａの縁線は、対向する２つの縁線であるＣ６点からＡ９点の直線及びＣ８点からＡ１１点の直線と、告知板本体４１の外形線の一部であるＣ６点からＣ８点の直線と、で構成される。同様に、下支持部４７ｂの縁線は、対向する２つの縁線であるＡ１０点からＣ７点の直線及びＡ１２点からＣ９点の直線と、告知板本体４１の外形線の一部であるＣ７点からＣ９点の直線と、で構成されている。そして、支持部４７（上支持部４７ａ、下支持部４７ｂ）の対向する２つの縁線における一方の縁線（Ｃ６点からＡ９点の直線、Ａ１０点からＣ７点の直線）と他方の縁線（Ｃ８点からＡ１１点の直線、Ａ１２点からＣ９点の直線）は、表示部４５の輪郭Ｐ７，Ｐ８と接続されるとともに山折りされる。
【００４４】
つまり、図５（ａ）で示すように、支持部４７の左側の縁線（すなわち、Ｃ６点からＡ９点及びＡ１０点からＣ７点まで二点鎖線で示す直線）は、Ａ９点及びＡ１０点で表示部４５の輪郭Ｐ７と接続される。また、支持部４７の右側の縁線（すなわち、Ｃ８点からＡ１１点及びＡ１２点からＣ９点まで二点鎖線で示す直線）は、Ａ１１点及びＡ１２点で表示部４５の輪郭Ｐ８と接続される。そして、支持部４７の左右の縁線（すなわち、二点鎖線で示すＣ６点からＣ７点までの直線及び二点鎖線で示すＣ８点からＣ９点までの直線）は、図５（ｂ）に示すように直角に山折りされて組み立てられる。
【００４５】
そして、支持部４７は、一方の縁線（Ｃ６点からＡ９点の直線、Ａ１０点からＣ７点の直線）及び他方の縁線（Ｃ８点からＡ１１点の直線、Ａ１２点からＣ９点の直線）とされる２つの山折りされる縁線側で、それぞれ挿入部４３ａ，４３ｂと接続される。なお、表示部４５の表面と支持部４７の表面は連続した平坦面とされている。
【００４６】
さらに、告知板４０の告知板本体４１には、告知板本体４１の上側に上側切欠部４８が形成されている。これにより、マルチパック１の孔部５ａに挿入される指と告知板４０との干渉が低減される。またさらに、告知板本体４１には、告知板本体４１（換言すれば、挿入部４３ａ，４３ｂ）の下側の外形線における下支持部４７ｂの下端に、マルチパック１における接続部５ｂとの干渉を回避するための下側切欠部４９が形成されている。
【００４７】
この告知板４０も、挿入部４３ａ，４３ｂを合わせてマルチパック１の短手方向における飲料用缶２が露出される露出側面における飲料用缶２間に挿入することにより、マルチパック１に取り付けることができる。そして、第１実施形態と同様に、告知板３０が取付けられたマルチパック１は、見栄え良く陳列することができる。
【００４８】
また、本実施形態における告知板４０は、２つの挿入部４３ａ，４３ｂを合わせて飲料用缶２間に挿入するので、支持部４７による表示部４５の支持がより強固とされる。さらに、表示部４５の上側及び下側に支持部４７が設けられるので、表示部４５のフラつきが低減される。
【００４９】
以上、本発明の実施形態を説明したが、本発明は以上の実施形態によって限定されることはなく、種々の変更を加えて実施することができる。例えば、表示部１５，２５，３５，４５の形状は、長軸を横向きにした楕円形に限られず、円形や長方形や星形等の種々の形状とすることができる。また、表示部１５，２５，３５，４５に景品等を収納できる収納部を設けることもできる。
【００５０】
また、以上の実施形態においては、飲料用缶２を６本包装したマルチパック１としたが、２本以上の容器が包装された図１と同様のマルチパックや、他の形式の露出側面を備えるマルチパックに対して告知板１０，２０，３０，４０を取り付けることができる。例えば、複数の缶等の容器をバンドで纏めた形式のマルチパックに対しても告知板１０，２０，３０，４０を取り付けることができる。
【００５１】
さらに、支持部１７，２７，３７，４７は、表示部１５，２５，３５，４５を支持するよう接続されていればよい。従って、支持部１７，２７，３７，４７は、表示部１５，２５，３５，４５に対して偏心した位置で接続しても良い。また、表示部１５，２５，３５，４５は、支持部１７，２７，３７，４７を介して挿入部１３，２３，３３，４３と接続されていればよい。例えば、図５（ａ）における支持部４７の対向する２つの縁線が重なるまで接近させて、縦向きの１本の縁線を形成してもよい。さらに、挿入部１３，２３，３３ａ，３３ｂ，４３ａ，４３ｂは、折り返して厚みを増すよう構成することもできる。また、告知板本体１１，２１，３１，４１は、紙材料により形成したが、プラスティックフィルム等他のシート状の材料を用いることもできる。なお、告知板本体１１，２１，３１，４１は、マルチパックの容器が結露しても破損しないように、耐水性を有する材料を用いると好適である。
【００５２】
また、告知板３０では、２つの挿入部３３ａ，３３ｂが形成されている。本実施形態では２つの挿入部３３ａ，３３ｂを飲料用缶２間に挿入するよう構成したが、これに限られず、例えば一方の挿入部３３ａを飲料用缶２間に挿入するようにして、他方の挿入部３３ｂは飲料用缶２間に挿入せずに、挿入部３３ａに係止させることもできる。
【符号の説明】
【００５３】
１      マルチパック                  ２      飲料用缶
５      包装材                        ５ａ    孔部
５ｂ    接続部                        ５ｃ    保持部
１０    告知板                        １１    告知板本体
１３    挿入部                        １５    表示部
１７    支持部                        １７ａ  上支持部
１７ｂ  下支持部                      １８    上側切欠部
１９    下側切欠部                    ２０    告知板
２１    告知板本体                    ２３    挿入部
２５    表示部                        ２７    支持部
２９    下側切欠部                    ３０    告知板
３１    告知板本体                    ３３ａ  挿入部
３３ｂ  挿入部                        ３５    表示部
３７    支持部                        ３９    下側切欠部
４０    告知板                        ４１    告知板本体
４３ａ  挿入部                        ４３ｂ  挿入部
４５    表示部                        ４７    支持部
４７ａ  上支持部                      ４７ｂ  下支持部
４８    上側切欠部                    ４９    下側切欠部
【図１】
2017134096.tif 000003
【図２】
2017134096.tif 000004
【図３】
2017134096.tif 000005
【図４】
2017134096.tif 000006
【図５】
2017134096.tif 000007